(57)【要約】【課題】  車両本体とドアとの間等に敷設されるワイヤハーネスの挿入と抜き取りを容易にするために、ワイヤハーネスを保護するグロメットの周方向の一部を軸方向に連続させて分離させた場合に、対向する両面が軸方向に連続して密着した状態を維持し、格別な止水処理を要することなく、グロメット内部への水の浸入を防止する。【解決手段】  筒状に形成された本体部２を有するグロメット１において、前記本体部２の周方向の一部に、周方向に互いに対向しながら分離した一対のヒレ３、４を軸方向に連続させて形成し、前記一対のヒレ３、４の内、一方のヒレ３に嵌合部３ａを形成し、他方のヒレ４に一方のヒレ３の嵌合部３ａに嵌合する被嵌合部４ｂを形成し、前記嵌合部３ａと前記被嵌合部４ｂを互いに対向させたままスライドさせて嵌合させる。【選択図】      図１
2006311753.tif 000002
【特許請求の範囲】
【請求項１】
筒状に形成された本体部を有するグロメットにおいて、前記本体部の周方向の一部に、周方向に互いに対向しながら分離した一対のヒレが軸方向に連続して形成され、前記一対のヒレの内、一方のヒレと他方のヒレの少なくともいずれか一方側に嵌合部が形成され、他方側に前記嵌合部が嵌合する被嵌合部が形成され、前記嵌合部と前記被嵌合部は互いに対向したままスライドして嵌合することを特徴とするグロメット。
【請求項２】
前記嵌合部は前記一方のヒレと前記他方のヒレの双方に形成され、その各嵌合部が嵌合する被嵌合部が前記他方のヒレと前記一方のヒレの双方に形成されていることを特徴とする請求項１に記載のグロメット。
【請求項３】
前記一方のヒレの嵌合部と被嵌合部は軸方向に交互に配列していることを特徴とする請求項２に記載のグロメット。
【請求項４】
前記一方の、もしくは前記他方のヒレの被嵌合部は前記他方の、もしくは前記一方のヒレの嵌合部がスライドする向きに係止する被係止部を有することを特徴とする請求項１乃至請求項３のいずれかに記載のグロメット。
【請求項５】
前記一方のヒレの被嵌合部は前記他方のヒレの嵌合部がスライドする向きに係止する被係止部を有し、前記他方のヒレの被嵌合部は前記一方のヒレの嵌合部がスライドする向きに係止する被係止部を有することを特徴とする請求項２、もしくは請求項３に記載のグロメット。
【請求項６】
前記一方の、もしくは前記他方のヒレの嵌合部はそれが形成されたヒレ側から対向するヒレ側へかけて断面が拡大する形状をしていることを特徴とする請求項１乃至請求項５のいずれかに記載のグロメット。
【請求項７】
前記嵌合部と前記被嵌合部が互いに嵌合した状態で、前記一方のヒレと前記他方のヒレをピンが着脱自在に貫通していることを特徴とする請求項１乃至請求項６のいずれかに記載のグロメット。
【発明の詳細な説明】
【技術分野】
【０００１】
本発明は車両本体とドアとの間等に敷設、もしくは架設されるワイヤハーネスを保護するグロメットに関するものである。
【背景技術】
【０００２】
車両本体とドアとの間等に敷設されるワイヤハーネスを保護するグロメットの、両端部の取付部を除く本体部はワイヤハーネスやその束を拘束した状態でその表面を保護する必要から、ゴム等の弾性体から筒状に形成されるが（特許文献１参照）、弾性体の筒であることから、グロメットの内部にワイヤハーネスやその束を通す際には、グロメット拡径機等の特殊な道具を用いて本体部端部の挿入口を広げる必要がある。
【０００３】
これに対し、グロメット本体部の周方向の一部に、軸方向に連続する切り込みを入れて周方向に分離させ、その分離して対向する部分を互いに係合させれば（特許文献２参照）、切り込み部分を通じてのワイヤハーネスの挿入と抜き取りが可能になり、挿入口を広げる作業が不要になる利点がある。
【０００４】
【特許文献１】特開２００３−３２４８２５号公報（請求項１、図１〜図６）
【特許文献２】実開平５−８３９４９号公報（請求項１、図１〜図３）
【発明の開示】
【発明が解決しようとする課題】
【０００５】
グロメットの周方向の一部を軸方向に連続させて分離させた場合には、グロメット内部への水の浸入を防止することが新たな課題になるが、特許文献２の請求項１のように対向する面の内の一方の面に形成された突起状の係合部を他方の孔に係合させるのみでは、使用状態で対向する両面が軸方向にずれる可能性があり、両面が軸方向に連続して密着した状態を維持することは難しいため、請求項２のように係合の他に止水処理を付加しない限り、水の浸入防止を図ることはできないと考えられる。
【０００６】
本発明は上記背景より、グロメットの周方向の一部を軸方向に連続させて分離させた場合にも、対向する両面が軸方向に連続して密着した状態を維持でき、格別な止水処理を要することなく、グロメット内部への水の浸入を防止できる構造のグロメットを提案するものである。
【課題を解決するための手段】
【０００７】
請求項１に記載の発明は筒状に形成された本体部を有するグロメットにおいて、前記本体部の周方向の一部に、周方向に互いに対向しながら分離した一対のヒレが軸方向に連続して形成され、前記一対のヒレの内、一方のヒレと他方のヒレの少なくともいずれか一方側に嵌合部が形成され、他方側に前記嵌合部が嵌合する被嵌合部が形成され、前記嵌合部と前記被嵌合部が互いに対向したままスライドして嵌合することを構成要件とする。
【０００８】
本体部の周方向の一部に、周方向に対向しながら分離した一対のヒレが軸方向に連続して形成され、少なくとも一方のヒレに形成された嵌合部が、他方のヒレに形成された被嵌合部に対向したままスライドして嵌合することで、双方のヒレの面が互いに密着したまま嵌合部が被嵌合部に嵌合するため、双方のヒレが互いに連結されたときには双方の面が軸方向に連続して密着する状態が得られる。連結前の状態では一対のヒレが分離していることで、ワイヤハーネスの本体部内への差し込みと、本体部内からの抜き取りはヒレ間を開放させた状態で行われるため、本体部の端部を広げる必要はない。
【０００９】
嵌合部と被嵌合部が対向したままスライドして嵌合する、とはグロメット本体部の半径方向等、軸方向に直交する方向にスライドして嵌合することであり、嵌合前の状態から嵌合状態へ移行する間に双方のヒレが軸方向にずれることがないため、双方のヒレは軸方向に連続して密着したまま嵌合状態となる。
【００１０】
嵌合部が被嵌合部に嵌合した状態で、双方のヒレの対向する面が軸方向に連続して密着し、且つ双方のヒレが軸方向にずれないことで、ゴム等から成型されるグロメット本体部が有する弾性の性質と併せ、グロメットの周方向の一部を軸方向に連続させて分離させながらも、使用状態で対向する両面が軸方向に連続して密着した状態を維持でき、格別な止水処理を付加しなくても、グロメット内部への水の浸入を防止する効果が得られる。
【００１１】
請求項２に記載の発明は請求項１に記載の発明において、嵌合部が一方のヒレと他方のヒレの双方に形成され、その各嵌合部が嵌合する被嵌合部が他方のヒレと一方のヒレの双方に形成されていることを構成要件とする。この場合、一方のヒレに嵌合部と被嵌合部が形成され、他方のヒレに一方のヒレの嵌合部と被嵌合部がそれぞれ嵌合する被嵌合部と嵌合部が形成され、一方のヒレと他方のヒレの各嵌合部と各被嵌合部が互いに対向したままスライドして嵌合する。
【００１２】
請求項２においても請求項１と同様、本体部の周方向の一部に、周方向に対向しながら分離した一対のヒレが軸方向に連続して形成され、一方のヒレに形成された嵌合部と被嵌合部が、他方のヒレに形成された被嵌合部と嵌合部にそれぞれ対向したままスライドして嵌合することで、双方のヒレの面が互いに密着したまま嵌合部が被嵌合部に嵌合するため、双方のヒレが互いに連結されたときには双方の面が軸方向に連続して密着する。また嵌合部と被嵌合部は対向したままスライドして、すなわちグロメット本体部の軸方向に直交する方向にスライドして嵌合するため、嵌合前の状態から嵌合状態へ移行する間に双方のヒレが軸方向にずれることはない。
【００１３】
嵌合部と被嵌合部がそれぞれ対向する被嵌合部と嵌合部に嵌合した状態で、双方のヒレの対向する面が軸方向に連続して密着し、且つ双方のヒレが軸方向にずれないことで、グロメット本体部の弾性と併せ、グロメットの周方向の一部を軸方向に連続させて分離させながらも、使用状態で対向する両面が軸方向に連続して密着した状態を維持でき、格別な止水処理を付加しなくても、グロメット内部への水の浸入を防止する効果が得られる。
【００１４】
請求項２では特に、双方のヒレが嵌合部と被嵌合部を有することで、双方のヒレが対向する方向に分離しようとする力や、軸方向にずれようとする力を受けたときの力を双方のヒレが分散して負担し易くなるため、外力を受けた場合にも双方のヒレの密着状態を維持し易い効果を有する。
【００１５】
請求項３に記載の発明は双方のヒレに嵌合部と被嵌合部が形成された請求項２に記載の発明において、一方のヒレの嵌合部と被嵌合部が軸方向に交互に配列していることを構成要件とする。一方のヒレに対応して他方のヒレの被嵌合部と嵌合部も軸方向に交互に配列する。
【００１６】
この場合、一方のヒレの嵌合部と被嵌合部、及び他方のヒレの被嵌合部と嵌合部が軸方向に交互に配列することで、双方のヒレが密着した状態において互いに分離しようとする力や、軸方向にずれようとする力が双方のヒレに均等に分散して作用し易くなり、軸方向の一部に力が集中して作用することが緩和されるため、外力に対しても双方のヒレは軸方向に連続して密着した状態を維持し易くなり、水の浸入防止効果が向上する。
【００１７】
請求項４に記載の発明は請求項１乃至請求項３のいずれかに記載の発明において、一方の、もしくは他方のヒレの被嵌合部が他方の、もしくは一方のヒレの嵌合部がスライドする向きに係止する被係止部を有することを構成要件とする。スライドする向きとは、双方のヒレが連結される際に、嵌合部と被嵌合部が互いに対向したままスライドするときの向きを言い、例えば一対のヒレが本体部の下側に位置しているときには、一方のヒレの他方のヒレに対する相対的な移動の向きである上向き、もしくは下向きを言う。
【００１８】
この場合、被嵌合部が、嵌合部が係止する被係止部を有することで、嵌合部が被嵌合部に嵌合し、被係止部に係止したときに、その係止の向きには一方のヒレのそれ以上のスライドが阻止されるため、双方のヒレの連結時に嵌合部が被嵌合部に嵌合したこと、すなわち双方のヒレの連結が完了したことが確認される。
【００１９】
請求項５に記載の発明は双方のヒレに嵌合部と被嵌合部が形成された請求項２、もしくは請求項３に記載の発明において、一方のヒレの被嵌合部が、他方のヒレの嵌合部がスライドする向きに係止する被係止部を有し、他方のヒレの被嵌合部が、一方のヒレの嵌合部がスライドする向きに係止する被係止部を有することを構成要件とする。
【００２０】
この場合も請求項４と同様に、被嵌合部が、嵌合部が係止する被係止部を有することで、嵌合部が被嵌合部に嵌合し、被係止部に係止したときに、その係止の向きには一方のヒレのそれ以上のスライドが阻止されるため、双方のヒレの連結時に嵌合部が被嵌合部に嵌合し、双方のヒレの連結が完了したことが確認される。
【００２１】
加えて、双方のヒレの被嵌合部に被係止部が形成されることで、一方のヒレの嵌合部が他方のヒレの被係止部に係止し、一方のヒレのそれ以上のスライドが阻止されると同時に、他方のヒレの嵌合部が一方のヒレの被係止部に係止したときに、その係止の向きへの他方のヒレのスライドが阻止される。
【００２２】
すなわち一方のヒレのスライドの向きには、一方のヒレのスライドが他方のヒレによって阻止され、他方のヒレのスライドも一方のヒレによって阻止されることから、双方のヒレの各嵌合部が各被係止部に係止した状態では双方のヒレが互いにスライドの方向（本体部の軸方向に直交する方向）にはいずれの向きの移動に対しても拘束され、ロックされた状態になるため、連結された状態での外力に対する安定性が向上し、水の浸入防止効果が一層向上する。
【００２３】
請求項６に記載の発明は請求項１乃至請求項５のいずれかに記載の発明において、一方の、もしくは他方のヒレの嵌合部が、それが形成されたヒレ側から対向するヒレ側へかけて断面が拡大する形状をしていることを構成要件とする。嵌合部の形状に対応し、それが嵌合する被嵌合部は嵌合部が形成されたヒレ側から、被嵌合部が形成されたヒレ側へかけて断面が拡大する形状をする。ここでの断面は主として本体部の軸方向に直交する方向に見たときの断面を言う。
【００２４】
この場合、嵌合部の断面が、それが形成されたヒレ側から対向するヒレ側へかけて拡大する形状をすることで、その嵌合部の表面と被嵌合部の内周面は互いに嵌合し、接触することにより互いの分離を阻止し、引き寄せ合うように働く。この結果、双方のヒレが互いに分離しにくくなるため、双方のヒレの対向する両面が軸方向に連続して密着した状態を維持する効果が高まり、グロメット内部への水の浸入防止効果が向上する。
【００２５】
請求項７に記載の発明は請求項１乃至請求項６のいずれかに記載の発明において、嵌合部と被嵌合部が互いに嵌合した状態で、一方のヒレと他方のヒレをピンが着脱自在に貫通していることを構成要件とする。
【００２６】
請求項５によれば、双方のヒレの被嵌合部に被係止部が形成されることで、双方のヒレがスライド方向のいずれの向きの移動に対しても拘束されてロックされるが、請求項７によれば、双方のヒレをピンが貫通することで、請求項５以外の場合においても双方のヒレをスライド方向のいずれの向きの移動に対しても拘束することができるため、双方のヒレをロックした状態に保ち、連結された状態での外力に対する安定性を高め、水の浸入防止効果を高めることが可能となる。
【発明の効果】
【００２７】
上記の通り、本発明では本体部の周方向の一部に、軸方向に連続して形成された一方のヒレの嵌合部が他方のヒレの被嵌合部に互いに対向したままスライドして嵌合することで、双方のヒレの面を互いに密着させたまま嵌合部を被嵌合部に嵌合させることができるため、双方の面を軸方向に連続して密着させることができる。
また嵌合部と被嵌合部はグロメット本体部の軸方向に直交する方向にスライドして嵌合するため、嵌合状態になったときに双方のヒレが軸方向にずれることがない。
【００２８】
双方のヒレの対向する面が軸方向に連続して密着し、且つ双方のヒレが軸方向にずれないことで、グロメットの周方向の一部を軸方向に連続させて分離させながらも、使用状態で対向する両面が軸方向に連続して密着した状態を維持することができ、格別な止水処理を付加しなくても、グロメット内部への水の浸入防止効果を得ることができる。
【発明を実施するための最良の形態】
【００２９】
以下、図面を用いて本発明を実施するための最良の形態を説明する。
【００３０】
本発明は図１、図２に示すように筒状に形成された本体部２を有するグロメット１において、本体部２の周方向の一部に、周方向に互いに対向しながら分離した一対のヒレ３、４が軸方向に連続して形成され、前記一対のヒレ３、４の内、一方のヒレ３と他方のヒレ４の少なくともいずれか一方側に嵌合部３ａ（４ａ）が形成され、他方側に嵌合部３ａ（４ａ）が嵌合する被嵌合部４ｂ（３ｂ）が形成されたグロメット１である。
【００３１】
グロメット１の本体部２は例えばオレフィン系、あるいはスチレン系等の熱可塑性エラストマーその他のゴム等から成型され、高い弾性変形能力を有する。本体部２の両端には車両本体やドアへの取り付けのための、図示しない取付部が形成される。図面では本体部２を伸縮自在にするために蛇腹状に形成しているが、同一断面のまま軸方向に連続させることもある。また本体部２の断面は必ずしも円形である必要はなく、任意の形状に形成される。
【００３２】
図９、図１０は一方のヒレ３に嵌合部３ａのみを形成し、他方のヒレ４に被嵌合部４ｂのみを形成した場合を示す。図３、図４は双方のヒレ３、４に嵌合部と被嵌合部を形成した場合、すなわち一方のヒレ３に嵌合部３ａと被嵌合部３ｂを形成し、他方のヒレ４に一方のヒレ３の嵌合部３ａと被嵌合部３ｂがそれぞれ嵌合する被嵌合部４ｂと嵌合部４ａを形成した場合を示す。図４では特に一方のヒレ３の嵌合部３ａと被嵌合部３ｂ、及び他方のヒレ４の嵌合部４ａと被嵌合部４ｂを軸方向に交互に配列させ、図３では一方のヒレ３に２個の嵌合部３ａと１個の被嵌合部３ｂを交互に配列させているが、嵌合部３ａと被嵌合部３ｂ等の配列の仕方は問われない。
【００３３】
一対のヒレ３、４を構成する一方のヒレ３と他方のヒレ４は図１、図２に示すように本体部２の一部に、本体部２の外側に張り出す形で、軸方向に連続して形成され、周方向に互いに対向する。双方のヒレ３、４は図３に示すように互いに対向したまま、半径方向等、軸方向に直交する方向に相対的にスライドし、嵌合部３ａと被嵌合部４ｂが嵌合することにより連結される。図３、図４の場合は嵌合部３ａ、４ａと被嵌合部３ｂ、４ｂが互いに対向したままスライドして嵌合する。軸方向に直交する方向とは、本体部２の断面形状の他、本体部２に対する一対のヒレ３、４の形成位置等によるが、軸方向に直交する面内の任意の方向であり、本体部２が円筒形の場合には例えば半径方向や接線方向になる。
【００３４】
図示するように一対のヒレ３、４が本体部２の下側に位置しているときには、例えば一方のヒレ３が図３に示すように他方のヒレ４に対して相対的に上向きにスライドすることにより、または他方のヒレ４が相対的に下向きにスライドすることにより嵌合部３ａ、４ａが被嵌合部３ｂ、４ｂに嵌合する。
【００３５】
双方のヒレ３、４の嵌合部３ａ、４ａが被嵌合部３ｂ、４ｂに嵌合するときには、双方のヒレ３、４の対向する面が対向したままスライドするため、一対のヒレ３、４が互いに連結された状態では、本体部２の弾性変形能力と併せて双方のヒレ３、４の対向する面が軸方向に連続して互いに密着した状態になり、軸方向のずれに対して安定する。
【００３６】
図３、図４は一方のヒレ３に嵌合部３ａと被嵌合部３ｂを形成し、他方のヒレ４に被嵌合部４ｂと嵌合部４ａを形成した場合において、一方のヒレ３の被嵌合部３ｂが、他方のヒレ４の嵌合部４ａがスライドする向きに係止する被係止部３ｃを有し、他方のヒレ４の被嵌合部４ｂが、一方のヒレ３の嵌合部３ａがスライドする向きに係止する被係止部４ｃを有する場合の具体例を示す。
【００３７】
嵌合部３ａ、４ａの被係止部４ｃ、３ｃ側の先端と、被係止部３ｃ、４ｃの嵌合部３ａ、４ａ側の面は互いに係止したときに、密着している双方のヒレ３、４が互いに分離することを阻止するよう、嵌合部３ａ（４ａ）が形成されているヒレ３（４）側から対向するヒレ４（３）側へかけて前記スライドの向きに向かう傾斜が付けられる。
【００３８】
具体例には、一方のヒレ３が他方のヒレ４に対して相対的に上向きにスライドして係止状態になる場合には、一方のヒレ３の嵌合部３ａの先端が図４−（ｂ）のＣ−Ｃ線断面図である図６−（ａ）に示すようにそのヒレ３側から他方のヒレ４側へかけて上向きに傾斜し、それに対応して他方のヒレ４の被係止部４ｃの面が図４−（ａ）のＡ−Ａ線断面図である図５−（ａ）に示すように一方のヒレ３側から他方のヒレ４側へかけて上向きに傾斜する。
【００３９】
また他方のヒレ４の嵌合部４ａの先端が図４−（ａ）のＢ−Ｂ線断面図である図５−（ｂ）に示すようにそのヒレ４側から一方のヒレ３側へかけて上向きに傾斜し、それに対応して一方のヒレ３の被係止部３ｃの面が図４−（ｂ）のＤ−Ｄ線断面図である図６−（ｂ）に示すように他方のヒレ４側から一方のヒレ３側へかけて上向きに傾斜する。
【００４０】
図６−（ａ）に示す一方のヒレ３の嵌合部３ａの先端はその一方のヒレ３の、他方のヒレ４に対する相対的な上向きのスライドによりそのまま図５−（ａ）に示す他方のヒレ４の被係止部４ｃに上向きに係止する。
【００４１】
図５−（ｂ）に示す他方のヒレ４の嵌合部４ａの先端は一方のヒレ３の、他方のヒレ４に対する相対的な上向きのスライドにより図６−（ｂ）に示す一方のヒレ３の被係止部３ｃに上向きに係止する。係止の際には一方のヒレ３の被係止部３ｃが弾性変形して嵌合部４ａの先端を乗り越え、被係止部３ｃが復元することにより嵌合部４ａが被係止部３ｃに係止する。
【００４２】
一方のヒレ３が他方のヒレ４に対して相対的に下向きにスライドして連結される場合には、嵌合部３ａは他方のヒレ４の被係止部４ｃに下向きに係止し、他方のヒレ４の嵌合部４ａも一方のヒレ３の被係止部３ｃに下向きに係止する。
【００４３】
図３、図４の場合、一方のヒレ３の嵌合部３ａと他方のヒレ４の嵌合部４ａが共に、スライドの向きにそれぞれ被係止部４ｃと被係止部３ｃに係止することで、係止した時点では上向き、または下向きの移動を互いに拘束し合うため、双方のヒレ３、４がスライドの方向にロックされた状態になる。
【００４４】
図３、図４はまた、双方のヒレ３、４の密着状態を維持し易くするために、一対のヒレ３、４を軸方向に直交する方向に見たとき、図４−（ｂ）に示すように一方のヒレ３の嵌合部３ａを、そのヒレ３側から対向する他方のヒレ４側へかけて台形状等、次第に断面が拡大する形状に形成した場合を示す。他方のヒレ４の被嵌合部４ｂは図４−（ａ）に示すように嵌合部３ａが形成されたヒレ３側から、被嵌合部４ｂが形成されたヒレ４側へかけて断面が拡大する形状をする。
【００４５】
この場合、一方のヒレ３の嵌合部３ａが他方のヒレ４の被嵌合部４ｂに嵌合したときに、嵌合部３ａの表面と被嵌合部４ｂの内周面が互いに引き寄せ合い、その分離を阻止するように働くため、双方のヒレ３、４が互いに密着した状態を維持し易くなる。
【００４６】
ワイヤハーネスやその束の本体部２内への差し込みは一対のヒレ３、４の連結前にヒレ３、４間を開放させた状態で行われ、本体部２内からの抜き取りは連結されている一対のヒレ３、４を分離させた状態で行われる。一対のヒレ３、４の連結状態からの分離は一方のヒレ３の被係止部３ｃを変形させ、他方のヒレ４の嵌合部４ａの被係止部３ｃからの係止状態を解除し、そのまま一方のヒレ３を他方のヒレ４に対して下向きにスライドさせることにより行われる。
【００４７】
図７、図８は嵌合部３ａ（４ａ）の被係止部４ｃ（３ｃ）への係止に代え、嵌合部３ａ（４ａ）が被嵌合部４ｂ（３ｂ）に嵌合した状態で、一方のヒレ３と他方のヒレ４を同時に貫通するピン５を着脱自在に挿通させることにより、双方のヒレ３、４をスライド方向のいずれの向きの相対移動に対しても拘束するようにした場合を示す。双方のヒレ３、４の軸方向の相対的な移動は嵌合部３ａ（４ａ）と被嵌合部４ｂ（３ｂ）の嵌合によって拘束される。
【００４８】
ピン５は図７〜図９に示すように本体部２の軸方向に間隔を隔てて１列、もしくは複数列配置されるが、ピン５の間隔と配列は双方のヒレ３、４のスライド方向の相対移動を拘束し、双方のヒレ３、４を密着させた状態を維持できるように設定される。双方のヒレ３、４のピン５が挿通する位置には挿通孔３ｄ、４ｄが穿設される。
【００４９】
図７、図８に示す一対のヒレ３、４の連結例を図９、図１０に示す。図９、図１０は前記のように一方のヒレ３に嵌合部３ａのみを、他方のヒレ４に被嵌合部４ｂのみを形成した場合を示しているが、双方のヒレ３、４への嵌合部３ａ（４ａ）と被嵌合部３ｂ（４ｂ）の形成の仕方は問われず、図３、図４のように形成する場合もある。
【００５０】
図９、図１０はまた、他方のヒレ４の被嵌合部４ｂが、一方のヒレ３の嵌合部３ａがスライドする向きに係止する被係止部４ｃを有する場合を示している。嵌合部３ａの先端と被係止部４ｃの嵌合部３ａ側の面の形状は図１１に示すように図４〜図６と同様に形成されている。
【００５１】
図９、図１０の場合は、一方のヒレ３を他方のヒレ４に対して相対的に上向きにスライドさせることによりそのまま嵌合部３ａの先端が被係止部４ｃに係止する。係止した状態では一方のヒレ３の他方のヒレ４に対する、上向きのスライドが拘束される。
【００５２】
嵌合部３ａの先端が被係止部４ｃに係止したとき、双方のヒレ３、４の挿通孔３ｄ、４ｄが合致し、その両挿通孔３ｄ、４ｄにいずれか一方のヒレ３（４）側からピン５が貫通させられる。ピン５には主としてプラスチック等、合成樹脂の成型品が使用されるが、ピン５自体に弾性変形能力を持たせ、挿通孔３ｄ、４ｄを貫通したときの挿通孔３ｄ、４ｄ回りとの密着性を高めるために、本体部２より硬めのゴム成型品を使用することもある。
【００５３】
ピン５は挿通孔３ｄ、４ｄを貫通したときの挿通孔３ｄ、４ｄからの抜け出しを防止するために頭部５ａを持ち、先端部５ｂは楔形状をしている。
【００５４】
図１０では一対のヒレ３、４を軸方向に直交する方向に見たときに、一方のヒレ３の嵌合部３ａを、そのヒレ３側から対向する他方のヒレ４側へかけて台形状等、次第に断面が拡大する形状に形成することにより、嵌合部３ａが他方のヒレ４の被嵌合部４ｂに嵌合したときに、双方のヒレ３、４が互いに密着した状態を維持し易くなるようにしている。
【００５５】
ワイヤハーネスやその束の本体部２内への差し込みと、本体部２内からの抜き取りは図３、図４の場合と同様に、一対のヒレ３、４間を開放させた状態で行われるが、一対のヒレ３、４の連結状態からの開放はピン５の頭部５ａ、もしくは先端部５ｂを潰すか、切断して、あるいは挿通孔３ｄ、４ｄを広げた状態でピン５を抜き取った後、一方のヒレ３を他方のヒレ４に対して下向きにスライドさせることにより行われる。
【図面の簡単な説明】
【００５６】
【図１】グロメットの本体部と一対のヒレとの関係を示した斜視図である。
【図２】図１の側面図である。
【図３】図１に示す一対のヒレの連結時の様子を示した斜視図である。
【図４】（ａ）は一対のヒレの内、他方のヒレを示した図３に対応する平面図、（ｂ）は一方のヒレを示した図３に対応する平面図である。
【図５】（ａ）は図４−（ａ）のＡ−Ａ線断面図、（ｂ）はＢ−Ｂ線断面図である。
【図６】（ａ）は図４−（ｂ）のＣ−Ｃ線断面図、（ｂ）はＤ−Ｄ線断面図である。
【図７】一対のヒレをピンを用いて連結する場合のグロメットの本体部と一対のヒレとの関係を示した斜視図である。
【図８】図７の側面図である。
【図９】図７に示す一対のヒレの連結時の様子を示した斜視図である。
【図１０】図９の平面図である。
【図１１】図１０のＥ−Ｅ線断面図である。
【符号の説明】
【００５７】
１………グロメット
２………本体部
３………（一方の）ヒレ
３ａ……嵌合部
３ｂ……被嵌合部
３ｃ……被係止部
３ｄ……挿通孔
４………（他方の）ヒレ
４ａ……嵌合部
４ｂ……被嵌合部
４ｃ……被係止部
４ｄ……挿通孔
５………ピン
５ａ……頭部
５ｂ……先端部
【図１】
2006311753.tif 000003
【図２】
2006311753.tif 000004
【図３】
2006311753.tif 000005
【図４】
2006311753.tif 000006
【図５】
2006311753.tif 000007
【図６】
2006311753.tif 000008
【図７】
2006311753.tif 000009
【図８】
2006311753.tif 000010
【図９】
2006311753.tif 000011
【図１０】
2006311753.tif 000012
【図１１】
2006311753.tif 000013